【手続補正書】
【提出日】平成28年3月16日(2016.3.16)
【手続補正１】
【補正対象書類名】特許請求の範囲
【補正対象項目名】全文
【補正方法】変更
【補正の内容】
【特許請求の範囲】
【請求項１】
撮影光学系で形成された被写体の光学像を、マイクロレンズアレイの各マイクロレンズにより対応する画素ブロックに投影して光電変換により得られた画像の画像データを取得する画像データ取得手段と、
符号化対象の第１の画素ブロックから得られた第１の画像データと、先に符号化された第２の画素ブロックから得られた第２の画像データに対して、前記第１の画素ブロックと第２の画素ブロックの画像の重複領域の相対的な位置関係を表すずらし量を決定するずらし量決定手段と、
前記ずらし量に従って、前記第１の画像データと第２の画像データを用いて、前記重複領域の差分画像データを生成する差分画像生成手段と、
前記差分画像データを所定の符号化方法で符号化する符号化手段と、
を備えることを特徴とする符号化装置。
【請求項２】
前記ずらし量決定手段は、前記第１の画素ブロックの画像に対する前記第２の画素ブロックの画像の相対位置を変化させながら、前記第１の画像データおよび第２の画像データを用いて画像の類似度を判定し、最大の類似度に対応する前記相対位置の変化量を前記ずらし量として決定し、前記ずらし量に基づいて前記重複領域を決定することを特徴とする請求項１に記載の符号化装置。
【請求項３】
前記ずらし量決定手段は、前記相対位置の変化量に従って、前記第１の画像データおよび第２の画像データを用いて差分絶対値和の平均のマッチング処理を行うことにより、前記類似度を算出することを特徴とする請求項２に記載の符号化装置。
【請求項４】
前記第２の画素ブロックは、前記第１の画素ブロックに対し、垂直方向および水平方向の少なくとも一つの方向に位置する画素ブロックであり、前記ずらし量決定手段は、前記第１の画素ブロックに対する前記第２の画素ブロックの位置する方向に応じて前記ずらし量および重複領域を決定し、前記差分画像生成手段は、前記第２の画素ブロックの位置する方向の差分画像データを生成することを特徴とする請求項１乃至３のいずれか一項に記載の符号化装置。
【請求項５】
前記マイクロレンズの透過光が照射されない不感画素を検出する不感画素検出手段を備え、前記不感画素検出手段が前記第２の画素ブロックに前記不感画素を検出した時は、前記ずらし量決定手段および前記差分画像生成手段は、前記検出された不感画素に対して、前記不感画素とは異なる画素を適応的に選択し、前記選択された画素の画像データを用いることを特徴とする請求項１乃至４のいずれか一項に記載の符号化装置。
【請求項６】
前記不感画素検出手段は、前記撮影光学系の絞り値および前記マイクロレンズの絞り値の情報を取得し、前記情報に基づいて前記不感画素を検出し、前記不感画素検出手段が前記第２の画素ブロックに前記不感画素を検出した時は、前記ずらし量決定手段および前記差分画像生成手段は、前記検出された不感画素に対して、前記第２の画素ブロックとは異なる他の先に符号化された画素ブロックの重複領域に含まれ、前記不感画素の位置に対応する位置の画素の画像データを用いることを特徴とする請求項５に記載の符号化装置。
【請求項７】
前記ずらし量決定手段は、前記被写体の撮影情報を取得し、前記撮影情報に基づいて前記ずらし量を決定し、前記ずらし量に基づいて前記重複領域を決定することを特徴とする請求項１、４、５および６のいずれか一項に記載の符号化装置。
【請求項８】
前記撮影情報は、前記撮影光学系の合焦距離と前記マイクロレンズで結像された被写体の距離であることを特徴とする請求項７に記載の符号化装置。
【請求項９】
前記第１の画像データおよび前記第２の画像データに対して、前記マイクロレンズアレイによる周辺減光の補正を行う補正手段をさらに備え、前記ずらし量決定手段は前記補正された画像データを用いて前記ずらし量を決定し、前記差分画像生成手段は、前記補正された画像データを用いて前記差分画像データを生成することを特徴とする請求項１乃至８のいずれか一項に記載の符号化装置。
【請求項１０】
前記補正手段は、周辺減光の補正値のデータを有し、前記補正値のデータを前記画像データに乗算することで補正を行うことを特徴とする請求項９に記載の符号化装置。
【請求項１１】
前記符号化手段は、さらに前記第１の画素ブロックに前記重複領域以外の領域の画像データを符号化することを特徴とする請求項１乃至１０のいずれか一項に記載の符号化装置。
【請求項１２】
前記画像データ取得手段が取得する画像データには、前記撮影光学系の合焦距離および前記マイクロレンズで結像された被写体の距離の少なくとも一つを含んでいることを特徴とする請求項１に記載の符号化装置。
【請求項１３】
光学像を形成する撮影光学系と、
前記形成された被写体の光学像を投影するマイクロレンズアレイと、
前記マイクロレンズアレイの各マイクロレンズに対応する画素ブロックを有し、各マイクロレンズにより投影された画像を前記対応する画素ブロックで光電変換して画像データを生成する撮像手段と、
請求項１乃至１１のいずれか一項に記載の符号化装置と、
前記符号化装置で符号化された画像データを記録媒体に記録する記録手段と、
を備えることを特徴とする撮像装置。
【請求項１４】
前記記録手段は、符号化された前記差分画像データ、ずらし量、および前記重複領域以外の領域の符号化された画像データを記録することを特徴とする請求項１３に記載の撮像装置。
【請求項１５】
各マイクロレンズによって結像される被写体までの距離を測定する被写体距離測定手段をさらに備え、前記ずらし量決定手段は、前記撮影光学系の合焦距離及び前記マイクロレンズで結像された被写体の距離に基づいて前記ずらし量を決定することを特徴とする請求項１３又は１４に記載の撮像装置。
【請求項１６】
撮影光学系で形成された被写体の光学像を、マイクロレンズアレイの各マイクロレンズにより対応する画素ブロックに投影して光電変換により得られた画像の画像データを符号化する符号化方法において、
前記マイクロレンズアレイのすべてのマイクロレンズについて前記画像データを取得する画像データ取得ステップと、
符号化対象の第１の画素ブロックから得られた第１の画像データと、先に符号化された第２の画素ブロックから得られた第２の画像データに対して、前記第１の画素ブロックと第２の画素ブロックの画像の重複領域の相対的な位置関係を表すずらし量を決定するずらし量決定ステップと、
前記ずらし量に従って、前記第１の画像データと第２の画像データを用いて、前記重複領域の差分画像データを生成する差分画像生成ステップと、
前記差分画像データを所定の符号化方法で符号化する符号化ステップと、
を備えることを特徴とする符号化方法。
【請求項１７】
撮影光学系で形成された被写体の光学像を、マイクロレンズアレイの各マイクロレンズにより対応する画素ブロックに投影して光電変換により得られた画像の画像データを符号化する符号化装置を制御するためのプログラムであり、
コンピュータを、
前記マイクロレンズアレイのすべてのマイクロレンズについて前記画像データを取得する画像データ取得手段、
符号化対象の第１の画素ブロックから得られた第１の画像データと、先に符号化された第２の画素ブロックから得られた第２の画像データに対して、前記第１の画素ブロックと第２の画素ブロックの画像の重複領域の相対的な位置関係を表すずらし量を決定するずらし量決定手段、
前記ずらし量に従って、前記第１の画像データと第２の画像データを用いて、前記重複領域の差分画像データを生成する差分画像生成手段と、
前記差分画像データを所定の符号化方法で符号化する符号化手段、
として機能させるプログラム。
【請求項１８】
請求項１７のプログラムを記録したコンピュータが読み取り可能な記憶媒体。
【請求項１９】
コンピュータを、請求項１乃至１２のいずれか一項に記載された符号化装置の各手段として機能させるプログラム。
【請求項２０】
コンピュータを、請求項１乃至１２のいずれか一項に記載された符号化装置の各手段として機能させるプログラムを格納した記憶媒体。